(57)【要約】【課題】マルチキャリア自動利得制御増幅装置100に関し、パイロットチャネルを用いない、キャリア(チャネル)数が変動するマルチキャリアに対応した、又は各キャリアの強度レベルがランダムなマルチキャリアに対応した、マルチキャリア信号の自動利得制御増幅を行う。【解決手段】キャリア数計数部40が、マルチキャリア信号510に含まれるキャリア数560を計数し、割算機能付自動利得制御部50が、マルチキャリア信号510の全電力を求め、この全電力をキャリア数560で除算し、この結果に基づき可変利得増幅器30を利得制御する。又は、キャリア捕捉部70が、マルチキャリア信号510に含まれるキャリアの内の１つのキャリアを捕捉し、可変バンドパスフィルタ80が、捕捉されたキャリアのみを選択し、自動利得制御部50zが選択されたキャリア信号の電力に基づき可変利得増幅器30を利得制御する。【選択図】      図１
2006101096.tif 000002
【特許請求の範囲】
【請求項１】
アナログ変調マルチキャリア信号を増幅する可変利得増幅器と、
該マルチキャリア信号に含まれるキャリア数を計数するキャリア数計数部と、
該マルチキャリア信号の全電力を求め、この全電力を該キャリア数で除算し、この除算結果に基づき該可変利得増幅器の利得を制御する割算機能付自動利得制御部と、
を備えたことを特徴とするマルチキャリア自動利得制御増幅装置。
【請求項２】
請求項１において、
該可変利得増幅器の前段に自動利得制御機能付バンドパスフィルタをさらに備え、
該自動利得制御付バンドパスフィルタが、該アナログ変調マルチキャリア信号の各キャリア電力を均一にすることを特徴としたマルチキャリア自動利得制御増幅装置。
【請求項３】
アナログ変調マルチキャリア信号を増幅する可変利得増幅器と、
該マルチキャリア信号に含まれるキャリアの内の１つのキャリアを捕捉するキャリア捕捉部と、
該マルチキャリア信号から該捕捉されたキャリアのみを選択する可変バンドパスフィルタと、
該選択されたキャリア信号の電力に基づき該可変利得増幅器の利得を制御する自動利得制御部と、
を備えたことを特徴とするマルチキャリア自動利得制御増幅装置。
【発明の詳細な説明】
【技術分野】
【０００１】
本発明は、マルチキャリア自動利得制御増幅装置に関し、特に、アナログ変調を用いたマルチキャリア自動利得制御増幅装置に関する。
【０００２】
近年、HFC(Hybrid Fiber Coaxial)光ファイバ伝送技術を用いた長距離光映像伝送方式の普及に伴い、光CATV網はサービスエリアを拡大している。また、インターネットの急速な普及に伴い、ブロードバンドな光加入者網は、光波長多重技術を用いることにより、ディジタル信号のみでなく大容量の光映像信号のサービスが実現されつつある。このような光CATV網及び光加入者網においては、マルチキャリア映像信号を増幅するマルチキャリア自動利得制御増幅装置が重要である。
【背景技術】
【０００３】
図７は、一般的な光CATV網200及び光加入者網300を示している。光CATV網200においては、映像信号送信部210から送出された電気信号のマルチキャリア映像信号700は、電気/光変換器220_1で光信号に変換されて、光伝送路230_1を経由して光ハブ240に送信される。さらに、マルチキャリア映像信号700は、光ハブ240から、例えば光伝送路230_2及びセットトップボックス250_1を経由してTV260_1に伝送される。
【０００４】
光加入者網300は、OLT310、カプラ320、スター型光カプラ340、ONU350_1〜350_i(以下、符号350で総称することがある。)、セットトップボックス360_1〜360_i(以下、符号360で総称することがある。)、及びTV370_1〜370_iで構成されている。この光加入者網300では、OLTから送出された下りディジタル信号720は、カプラ320及び光伝送路330_1を経由してスター型光カプラ340に伝送される。そして、下りディジタル信号720は、スター型光カプラ340で分岐されて、それぞれ、光伝送路330_2〜330_j+1、ONU350_1〜350_i、及びセットトップボックス360_1〜360_iを経由してTV370_1〜370_iに伝送される。
【０００５】
逆に、例えば、TV370_1から送出された上りディジタル信号710は、セットトップボックス360_1、ONU350_1、及び光伝送路330_2等を経由してOLT310に伝送される。
【０００６】
一方、映像信号送信部210から送出されたマルチキャリア映像信号700は、電気/光変換器220_2及び光伝送路230_4を経由してカプラ320に伝送され、このカプラ320で光加入者網300の下りディジタル信号720と混合され、以下、下りディジタル信号720と同様に、TV370_1〜370_iに伝送される。
【０００７】
図８は、光加入者網300における光波長規格(G983.3)を示しており、上りディジタル信号710、下りディジタル信号720、及びマルチキャリア映像信号(下り)700の光波長は、それぞれ、1.3μm帯、1.49μm帯、及び1.55μm帯である。
【０００８】
図９は、光アナログ変調のマルチキャリア映像信号700におけるキャリア(チャネル)配置を示している。マルチキャリア映像信号700の伝送方式は、1.55μm光帯一波長のアナログ信号における、周波数分割多重を用いた振幅変調のキャリアによる光アナログ伝送方式を採用している。そして、各キャリア500a〜500kは、数十Mz〜770MHzの中に6MHz間隔で均等に配置されている。
【０００９】
図10は、図７に示したONU350及びセットトップボックス360の構成を示している。ONU350は、光分岐部351及び送受信装置352を備えており、上りディジタル信号710及び下りディジタル信号720は、光分岐部351を経由して、OLT310と送受信装置352との間で送受信される。同様に、映像信号送信部210からのマルチキャリア映像信号700は、光分岐部351で分岐されてセットトップボックス360に与えられる。
【００１０】
セットトップボックス360はマルチキャリア自動利得制御増幅装置100aを備えている。この増幅装置100aにおいて、マルチキャリア映像信号700は、光/電気変換器10で光/電気変換された後、増幅される。
【００１１】
図11(1)は、従来のマルチキャリア自動利得制御増幅装置100aを示しており、この増幅装置100aは、フォトダイオード(光/電気変換器)10、プリアンプ20、可変利得増幅器30、バンドパスフィルタ91、及び自動利得制御部54を備えている。
【００１２】
動作において、フォトダイオード10は、マルチキャリア映像信号(光信号)700を電気信号のマルチキャリア信号500に変換する。同図(2)は、このマルチキャリア信号500を示している。この信号500は、図９に示したマルチキャリア映像信号700と同様にチャネル500a〜500kで構成されているが、この例では、チャネル500aがパイロットチャネルに設定されている。
【００１３】
プリアンプ20は、マルチキャリア信号500を増幅して可変利得増幅器30に与える。可変利得増幅器30は、自動利得制御部54からの利得制御信号550に基づき出力信号であるマルチキャリア出力信号510を一定値にレベル制御する。バンドパスフィルタ91は、マルチキャリア出力信号510の内のパイロットチャネル500aのみを選択し、このチャネル500aを自動利得制御部54に与える。自動利得制御部54は、パイロットチャネル500aの電力値を所定の値にするための利得制御信号550を可変利得増幅器30に与える。なお、所定の値は基準電圧回路90の基準電圧値によって指定されている。
【００１４】
図12は、マルチキャリア信号500における各キャリアの強度レベルを示している。同図(1)は、強度レベルがキャリア毎にランダムな値であり、同図(2)は、図11(2)を再度示したものであり、この強度レベルは、均一な値である。同図(2)のようなレベル配置の場合、パイロットチャネルは、他のチャネルをも代表しているので、パイロットチャネルのみで自動利得制御を行っても問題が無いが、同図(1)のようなレベル配置の場合、パイロットチャネルと他のチャネルとは、関連性が無く問題が発生する。
【００１５】
他の従来のマルチキャリア自動利得制御増幅装置例として、パイロットチャネル500aを用いずに、マルチキャリア出力信号510の全電力の平均値(全電力/チャネル数)を検出し、この値に基づき自動利得制御を行うものがある。この自動利得制御増幅装置は、各チャネルの強度レベルがランダムでも対応することが可能であるが、強度レベルが極端なランダムである場合対応できない。さらに、この自動利得制御増幅装置は、チャネル数が一定の値に固定されており、例えば、そのチャネル内の一部が使用されていない場合、平均値が所定値よりも大きくなってしまうことになる。すなわち、チャネル数が変動するマルチキャリア信号500には対応できない。
【００１６】
この問題を解決している従来のマルチキャリア自動利得制御増幅装置(マルチキャリアの受信装置)例として、マルチキャリア信号全体の自動利得調整を行う自動利得調整回路と、調整後のマルチキャリア信号を各キャリアに分配する分配器と、分配器で分配された各キャリアをそれぞれ自動利得調整及び復号する、複数の自動利得調整部及び復号器とを備えたものがある。そして、このマルチキャリアの受信装置は、全キャリアの内の受信状態のキャリアの自動利得調整量を平均した値に基づき、マルチキャリア信号全体の自動利得調整を行う(例えば、特許文献１参照。)。
【００１７】
このように、後段で、受信状態のチャネルのみに対応した自動利得調整回路の調整量の平均値に基づき、前段のマルチキャリア信号全体の自動利得調整を行うことで、受信状態のチャネル数が変動する場合及び各チャネルの強度レベルがランダムな場合に対応している。
【特許文献１】特開2000−68957号公報(３頁、図１)
【発明の開示】
【発明が解決しようとする課題】
【００１８】
しかしながら、特許文献１のマルチキャリア自動利得制御方式は、マルチキャリア信号を各チャネルに分配し、この分配した各チャネルの自動利得制御及び復号を行っているため、単にマルチキャリア信号のみの自動利得制御増幅には適していない。
【００１９】
そこで本発明は、アナログ変調を用いたマルチキャリア自動利得制御増幅装置において、パイロットチャネルを用いない、キャリア(チャネル)数が変動するマルチキャリアに対応した、又は各キャリアの強度レベルがランダムなマルチキャリアに対応した、マルチキャリア信号の自動利得制御増幅を行うことを課題とする。
【課題を解決するための手段】
【００２０】
本発明の原理(1)
上記の課題を解決するため本発明に係るマルチキャリア自動利得制御増幅装置は、アナログ変調マルチキャリア信号を増幅する可変利得増幅器と、該マルチキャリア信号に含まれるキャリア数を計数するキャリア数計数部と、該マルチキャリア信号の全電力を求め、この全電力を該キャリア数で除算し、この除算結果に基づき該可変利得増幅器の利得を制御する割算機能付自動利得制御部とを備えたことを特徴としている。
【００２１】
図１は、本発明のマルチキャリア自動利得制御増幅装置の原理(1)を示している。この増幅装置100xは、可変利得増幅器30、キャリア数計数部40、及び割算機能付自動利得制御部50を備えている。キャリア数計数部40は、マルチキャリア出力信号510に含まれるキャリア数を計数し、割算機能付自動利得制御部50は、マルチキャリア出力信号510の全電力を求め、この全電力を該キャリア数で除算し、この除算結果(全電力／キャリア数＝有効なキャリアの平均電力)に基づき可変利得増幅器30の利得を制御する。
【００２２】
これにより、パイロットチャネル(キャリア)を必要せず、また、キャリア数が変動した場合(例えば、未使用のチャネルが発生した場合)においても可変利得増幅器30の利得を自動制御することが可能になる。
【００２３】
また、本発明は、該割算機能付自動利得制御部が、さらにキャリア利得制御信号に基づき、該可変利得増幅器の利得制御を行うようにしてもよい。
【００２４】
すなわち、割算機能付自動利得制御部50には、除算結果及びキャリア利得制御信号600に基づき可変利得増幅器30の利得を制御する。キャリア利得制御信号600は、例えば、定電圧信号又は外部から指定される信号であり、所望のレベルの出力信号を発生することができる。
【００２５】
本発明の原理(2)
また、本発明は、上記の本発明において、該可変利得増幅器の前段に自動利得制御機能付バンドパスフィルタをさらに備え、該自動利得制御付バンドパスフィルタが、該アナログ変調マルチキャリア信号の各キャリア電力を均一にすることを特徴としている。
【００２６】
図２は、本発明のマルチキャリア自動利得制御増幅装置の原理(2)を示している。この増幅装置100yが、図１に示した増幅装置100xと異なる点は、可変利得増幅器30yの前に、自動利得制御付バンドパスフィルタ60を備えていることである。このバンドパスフィルタ60は、アナログ変調マルチキャリア信号500の各キャリア電力を均一にする。例えば、自動利得制御付バンドパスフィルタ60は、自動利得制御(以後、AGCと略称することがある)機能付バンドパスフィルタ60_1〜60_iで構成され、これらのAGC機能付バンドパスフィルタ60_1〜60_iは、各キャリアを選択するバンドパスフィルタ61_1〜61_iと、各バンドパスフィルタ61_1〜61_iの出力電力を制御する自動利得制御アンプ62_1〜62_iとで構成されている。これらのAGCアンプ62_1〜62_iの出力信号は、合成されて可変利得増幅器30yに与えられる。なお、図２には、可変利得増幅器30yがAGCアンプ62_1〜62_iの出力信号を合成する機能を備えている場合が示されている。
【００２７】
これにより、マルチキャリア信号500の各キャリア電力がランダムな値である場合においても、可変利得増幅器30yには、各キャリアの電力が均一なマルチキャリア信号を与えることが可能になる。
【００２８】
本発明の原理(3)
上記の課題を解決するため本発明に係るマルチキャリア自動利得制御増幅装置は、アナログ変調マルチキャリア信号を増幅する可変利得増幅器と、該マルチキャリア信号に含まれるキャリアの内の１つのキャリアを捕捉するキャリア捕捉部と、該マルチキャリア信号から該捕捉されたキャリアのみを選択する可変バンドパスフィルタと、該選択されたキャリア信号の電力に基づき該可変利得増幅器の利得を制御する自動利得制御部とを備えたことを特徴としている。
【００２９】
図３は、本発明のマルチキャリア自動利得制御増幅装置の原理(3)を示している。この増幅装置100zが、図11(2)に示した従来の増幅装置100aと異なる点は、マルチキャリア信号にパイロットキャリア(チャネル)を含めず、映像信号チャネルの内の１つのチャネル(キャリア)を捕捉し、このキャリアの電力に基づき可変利得増幅器30の利得を制御することである。
【００３０】
すなわち、増幅装置100zは、可変利得増幅器30、キャリア捕捉部70、可変バンドパスフィルタ80、及び自動利得制御部50zを備えている。キャリア捕捉部70は、マルチキャリア信号500に含まれるキャリアの内の１つのキャリアを捕捉し、このキャリアの周波数情報580を可変バンドパスフィルタ80に与える。可変バンドパスフィルタ80は、キャリア周波数情報580が示す周波数のキャリア(チャネル)のみを選択するように設定され、選択したキャリアを自動利得制御部50zに与える。自動利得制御部50zは、与えられたキャリアの電力に基づき可変利得増幅器30の利得を制御する。
【００３１】
これにより、使用されている映像信号チャネル(キャリア)の内の１つのチャネルをパイロットチャネルとして用いることにより、特定のパイロットチャネルを必要とせず、従来のパイロットチャネルを通常の映像信号チャネルとして用いることが可能になる。
【００３２】
また、本発明は、該自動利得制御部が、さらにキャリア利得制御信号に基づき、該可変利得増幅器の利得制御を行ってもよい。
【００３３】
すなわち、自動利得制御部50zは、キャリアの電力及びキャリア利得制御信号600に基づき可変利得増幅器30の利得を制御する。キャリア利得制御信号600は、例えば、定電圧信号又は外部から指定される信号であり、所望のレベルの出力信号を発生することができる。
【００３４】
また、本発明は、該可変利得増幅器の前段に自動利得制御付バンドパスフィルタをさらに備え、該自動利得制御付バンドパスフィルタが、該アナログ変調マルチキャリア信号の各キャリア電力を均一にすることが可能である。これにより、原理(3)においても、各キャリア電力がランダムな場合も適用することが可能になる。
【発明の効果】
【００３５】
以上説明したように、本発明に係るマルチキャリア自動利得制御増幅装置によれば、マルチキャリア信号の自動利得制御増幅が、パイロットチャネルを必要とせず、各キャリア毎の自動利得調整量を検出することなく、受信状態のチャネル数が変動した場合においても、及び各キャリアの強度レベルがランダムに変動する場合においても、可能になる。
【発明を実施するための最良の形態】
【００３６】
実施例(1)
図４は、本発明のマルチキャリア自動利得制御増幅装置の実施例(1)を示している。この実施例(1)では、図１に示した原理(1)に基づき動作するマルチキャリア自動利得制御増幅装置100xが示されている。この増幅装置100xの基本的な構成要素は、図１に示した増幅装置100xと同じであり、図４には、構成要素の内のキャリア数計数部40及び割算機能付自動利得制御部50がより詳細に示されている。
【００３７】
キャリア数計数部40は、掃引式局部発振器41、ミキサ42、中間周波増幅器43、検波器44、キャリア数カウンタ45、及びキャリア数メモリ46を備え、割算機能付自動利得制御部50は、検波器51、割算回路52、及び自動利得制御部53を備えている。
【００３８】
動作において、キャリア数計数部40は、ヘテロダイン方式でキャリア検出し、検出したキャリア数をカウントする。すなわち、掃引式局部発振器41は、マルチキャリア出力信号510の帯域の周波数を掃引して発振する。この掃引周波数信号とマルチキャリア出力信号510とをミキサ42が混合して出力する。この出力信号には、掃引周波数信号の周波数とマルチキャリアの周波数との差の中間周波数成分が含まれている。この中間周波数成分が中間周波増幅器43の帯域の周波数と一致したとき、この周波数成分は増幅され検波器44で検出される(ヘテロダイン方式)。
【００３９】
この検出は、マルチキャリア出力信号510の各キャリアの周波数と掃引周波数信号の周波数との差が中間周波数と一致する毎に行われる。キャリア数カウンタ45は、検波器44の出力信号を計数してキャリア数を求め、キャリア数メモリ46に与え、キャリア数メモリ46は、キャリア数を記憶する。
【００４０】
以上の動作を繰り返すことにより、キャリア数メモリ46には、マルチキャリア出力信号510に含まれる現在のキャリア数が更新されて記憶されることになる。
【００４１】
割算機能付自動利得制御部50において、検波器51は、マルチキャリア出力信号510を検波することで信号510に含まれる、現在受信状態にある全キャリアの電力、すなわち全キャリア電力530を検出する。割算回路52は、全キャリア電力530及びキャリア数560を入力し、“全キャリア電力530”÷“キャリア数560”＝“１キャリア電力540(平均キャリア電力)”を計算し、この“１キャリア電力540“を自動利得制御部53に与える。
【００４２】
自動利得制御部53は、現在の“１キャリア電力540＝平均キャリア電力”及びキャリア利得制御信号600に基づき決定される利得制御信号550を可変利得増幅器30に与え、マルチキャリア出力信号510の１キャリア電力540の値をキャリア利得制御信号600で指定される電力値になるように可変利得増幅器30の利得を制御する。
【００４３】
これにより、パイロットチャネルを用いることなく、また、マルチキャリア出力信号510のキャリア(チャネル)数が変動する場合においても、マルチキャリアの自動利得制御が可能になる。
【００４４】
なお、この実施例(1)の増幅装置100xは、含まれる各キャリアの強度レベルが均一(ほぼ同一)であるマルチキャリア映像信号700に対応可能であり、各キャリアの強度レベルがある程度以上ランダムである場合、対応できない(図12参照。)。これに対応したものは、次の実施例(2)で示す。
【００４５】
実施例(2)
図５は、本発明のマルチキャリア自動利得制御増幅装置の実施例(2)を示している。この実施例(2)では、図２に示した原理(2)に基づき動作するマルチキャリア自動利得制御増幅装置100yを示している。この増幅装置100yが、実施例(1)の増幅装置100xと異なる点は、
同図に示したように、プリアンプ20と可変利得増幅器30との間にAGC(自動利得制御)機能付バンドパスフィルタ60が挿入されていることである。このバンドパスフィルタ60は、強度レベルがランダムなキャリアのレベルを均一にしている。この動作の詳細説明は、図２の原理(2)の説明で既に述べているので省略する。
【００４６】
これにより、マルチキャリア自動利得制御増幅装置100yは、パイロットチャネルを用いることなく、キャリア(チャネル)数が変動し、さらに、各キャリアの強度レベルがランダムなマルチキャリア映像信号700に対応することが可能になる。
【００４７】
実施例(3)
図６は、本発明のマルチキャリア自動利得制御増幅装置の実施例(3)を示している。この実施例(3)では、図３に示した原理(3)に基づき動作するマルチキャリア自動利得制御増幅装置100zが示されている。この増幅装置100zの基本的な構成要素は、図３に示した増幅装置100zと同じであり、図６には、構成要素の内のキャリア捕捉部70がより詳細に示されている。
【００４８】
このキャリア捕捉部70は、掃引式局部発振器71、ミキサ72、中間周波増幅器73、検波器74、チャネル保持制御部75、及び可変バンドパスフィルタ制御部76を備えている。掃引式局部発振器71、ミキサ72、中間周波増幅器73、及び検波器74の動作は、実施例(1)の掃引式局部発振器41、ミキサ42、中間周波増幅器43、及び検波器44と同様である。チャネル保持制御部75は、ヘテロダイン方式でマルチキャリア出力信号510の内の一つキャリアを捕捉(検出)する。
【００４９】
チャネルが捕捉したとき、チャネル保持制御部75は、チャネル固定信号570を掃引式局部発振器71に与え、このチャネル固定信号570を受信した掃引式局部発振器71は、一時的に掃引を停止し固定した周波数で発振する。可変バンドパスフィルタ制御部76はこのときの周波数に基づき、捕捉されたチャネル(キャリア)の周波数をキャリア周波数情報580として、可変バンドパスフィルタに与える。可変バンドパスフィルタ80は、キャリア周波数情報580で指定された周波数のキャリアのみを選択して、自動利得制御部50zに与える。
【００５０】
自動利得制御部50zは、選択(捕捉)されたキャリアを基準として可変利得増幅器30の利得制御を行う。この動作は、図11(2)に示した従来のパイロットチャネルを用いたマルチキャリア自動利得制御増幅装置100aと同じである。すなわち、パイロットチャネルの代わりに捕捉されたキャリアを用いて自動利得制御を行う。
【００５１】
なお、捕捉されたキャリアが受信状態でなくなったとき、掃引式局部発振器71は、掃引を開始し、チャネル保持制御部75は別の受信状態のキャリアを捕捉し、自動利得制御部50zは、このキャリアをパイロットチャネルとして自動利得制御を行う。これにより、パイロットチャネルを用いることなく自動利得制御が可能になる。
【００５２】
また、各チャネルの強度レベルがランダムな場合、実施例(2)と同様に、プリアンプ20と可変利得増幅器30の間に、自動利得制御機能付バンドパスフィルタ60を挿入すればよい。
【００５３】
（付記１）
アナログ変調マルチキャリア信号を増幅する可変利得増幅器と、
該マルチキャリア信号に含まれるキャリア数を計数するキャリア数計数部と、
該マルチキャリア信号の全電力を求め、この全電力を該キャリア数で除算し、この除算結果に基づき該可変利得増幅器の利得を制御する割算機能付自動利得制御部と、
を備えたことを特徴とするマルチキャリア自動利得制御増幅装置。
（付記２）上記の付記１において、
該割算機能付自動利得制御部が、さらにキャリア利得制御信号に基づき、該可変利得増幅器の利得制御を行うことを特徴としたマルチキャリア自動利得制御増幅装置。
（付記３）上記の付記１において、
該可変利得増幅器の前段に自動利得制御機能付バンドパスフィルタをさらに備え、
該自動利得制御付バンドパスフィルタが、該アナログ変調マルチキャリア信号の各キャリア電力を均一にすることを特徴としたマルチキャリア自動利得制御増幅装置。
（付記４）
アナログ変調マルチキャリア信号を増幅する可変利得増幅器と、
該マルチキャリア信号に含まれるキャリアの内の１つのキャリアを捕捉するキャリア捕捉部と、
該マルチキャリア信号から該捕捉されたキャリアのみを選択する可変バンドパスフィルタと、
該選択されたキャリア信号の電力に基づき該可変利得増幅器の利得を制御する自動利得制御部と、
を備えたことを特徴とするマルチキャリア自動利得制御増幅装置。
（付記５）上記の付記４において、
該自動利得制御部が、さらにキャリア利得制御信号に基づき、該可変利得増幅器の利得制御を行うことを特徴としたマルチキャリア自動利得制御増幅装置。
（付記６）上記の付記４において、
該可変利得増幅器の前段に自動利得制御付バンドパスフィルタをさらに備え、
該自動利得制御付バンドパスフィルタが、該アナログ変調マルチキャリア信号の各キャリア電力を均一にすることを特徴としたマルチキャリア自動利得制御増幅装置。
【図面の簡単な説明】
【００５４】
【図１】本発明に係るマルチキャリア自動利得制御増幅装置の原理(1)を示したブロック図である。
【図２】本発明に係るマルチキャリア自動利得制御増幅装置の原理(2)を示したブロック図である。
【図３】本発明に係るマルチキャリア自動利得制御増幅装置の原理(3)を示したブロック図である。
【図４】本発明に係るマルチキャリア自動利得制御増幅装置の実施例(1)を示したブロック図である。
【図５】本発明に係るマルチキャリア自動利得制御増幅装置の実施例(2)を示したブロック図である。
【図６】本発明に係るマルチキャリア自動利得制御増幅装置の実施例(3)を示したブロック図である。
【図７】一般的な光CATV網及び光加入者網の伝送方式を示したブロック図である。
【図８】一般的な光加入者網における光波長規格を示した図である。
【図９】一般的なマルチキャリア映像信号におけるキャリア(チャネル)配置例を示した図である。
【図１０】一般的なONU及びセットトップボックスの構成を示したブロック図である。
【図１１】従来のマルチキャリア自動利得制御増幅装置の構成を示したブロック図である。
【図１２】マルチチャネル信号における各キャリア信号の強度レベル例を示した図である。
【符号の説明】
【００５５】
100a，100x〜100y  マルチキャリア自動利得制御増幅装置
10  フォトダイオード、光/電気変換器      20  プリアンプ
30，30y  可変利得増幅器                  40  キャリア数計数部
41  掃引式局部発振器                     42  ミキサ
43  中間周波増幅器                       44  検波器
45  キャリア数カウンタ                   46  キャリア数メモリ
50  割算機能付自動利得制御部             50z  自動利得制御部
51  検波器                               52  割算回路
53，54  自動利得制御部
60，60_1〜60_i  自動利得制御(AGC)機能付バンドパスフィルタ
61，61_1〜61_i  バンドパスフィルタ       62，62_1〜62_i  AGCアンプ
70  キャリア捕捉部                       71  掃引式局部発振器
72  ミキサ                               73  中間周波増幅器
74  検波器                               75  チャネル保持制御部
76  可変バンドパスフィルタ制御部         80  可変バンドパスフィルタ
90  基準電圧回路                         91  バンドパスフィルタ
200  光CATV網                            210  映像信号送信部、ヘッドエンド
220_1，220_2  電気/光変換器              230_1〜230_4  光伝送路
240  光ハブ                              250_1，250_2  セットトップボックス
260_1，260_2  TV                         300  光加入者網
310  OLT                                 320  カプラ
330_1〜330_i  光伝送路                   340  スター型光カプラ
350，350_1〜350_i  ONU
360，360_1〜360_i  セットトップボックス  370_1〜370_i  TV
500，501  マルチキャリア信号、マルチキャリア映像信号(電気信号)
500a〜500k  キャリア、チャネル           500a  パイロットチャネル
500b〜500k  キャリア、チャネル、映像信号チャネル
510  マルチキャリア出力信号              530  全キャリア電力
540  １キャリア電力                      550  利得制御信号
560  キャリア数                          570  チャネル固定信号
580  キャリア周波数情報                  600  キャリア利得制御信号
700  マルチキャリア映像信号(光信号)      710  上りディジタル信号
720  下りディジタル信号
図中、同一符号は同一又は相当部分を示す。
【図１】
2006101096.tif 000003
【図２】
2006101096.tif 000004
【図３】
2006101096.tif 000005
【図４】
2006101096.tif 000006
【図５】
2006101096.tif 000007
【図６】
2006101096.tif 000008
【図７】
2006101096.tif 000009
【図８】
2006101096.tif 000010
【図９】
2006101096.tif 000011
【図１０】
2006101096.tif 000012
【図１１】
2006101096.tif 000013
【図１２】
2006101096.tif 000014